(57)【要約】【課題】燃費の良否を感覚的に運転者に伝えることが可能な燃費表示装置。【解決手段】燃費表示装置２００は、黒又は灰色乃至は褐色その他の暗色から成る枠領域２１と、１個の発光領域２２から構成されている。発光領域２２には、少なくとも左端部２２Ｌから右端部２２Ｒまで達する緑色発光ダイオードの列と、左端部２２Ｌから右端部２２Ｒまで達する赤色発光ダイオードの列とが組み込まれている。燃費の表示方法は、良い方から悪い方に、次の任意段階とすることができる。発光領域２２は、その右端部２２Ｒから左端部２２Ｌまで全て緑色発光。発光領域２２は、その左端部２２Ｌから境界部まで（２２−１）が赤色に、境界部（２２−３）が非発光又は中間色である黄色に発光、右端部２２Ｒから当該境界部まで（２２−２）が緑色発光。発光領域２２は、その左端部２２Ｌから右端部２２Ｒまで全て赤色発光。【選択図】図２
2008232826.tif 000002
【特許請求の範囲】
【請求項１】
車両の燃費表示装置において、
直線又は曲線上に連続又は断続して形成された表示領域に、
少なくとも１ヶ所に少なくとも２色の異なる発光素子を配置し、
当該直線又は曲線上に連続又は断続して形成された表示領域の、前記発光素子の点灯により輝度を有する領域の長手方向の長さと、前記２色の異なる発光素子を配置した領域の色調とにより燃費状況を表示することを特徴とする車両の燃費表示装置。
【請求項２】
車両の燃費表示装置において、
２つの端部を結ぶように直線又は曲線上に実質的に連続して形成された表示領域に、
２色の異なる発光素子を配置し、
当該直線又は曲線上に連続又は断続して形成された表示領域の、両端から各々前記異なる色の発光素子の発光領域が連続するように点灯させて、
前記異なる色に点灯した表示領域の境界部の位置により燃費状況を表示することを特徴とする車両の燃費表示装置。
【請求項３】
回路配線基板と、
前記回路配線基板の一方の面に配置され、回路配線に接続された、前記少なくとも異なる２色の発光素子と、
前記発光素子を封止する封止樹脂とを有し
前記回路配線基板及び前記封止樹脂の少なくとも一方に光拡散材料が分散されていることを特徴とする請求項１又は請求項２に記載の燃費表示装置。
【発明の詳細な説明】
【技術分野】
【０００１】
本発明は、車両の燃費を表示する装置に関する。
【背景技術】
【０００２】
例えば自動車においては、ガソリン価格の高騰に伴い、燃料の単位体積当たりの走行可能距離を示す燃費に関心が高まっている。また、ハイブリッド車の普及に伴い、走行距離と燃料の使用量の比率が表示されるものが望まれ、いくつかの燃費表示装置が取り付けられている。例えば特許文献１には、燃費を数値により表示する車両の燃費表示装置の開示がある。
【０００３】
数値表示の他、いわゆる棒グラフ状の燃費表示装置もある。これは最も燃費の悪い状態において輝度を有する領域が例えば１個となる表示とし、最も燃費の良い状態において輝度を有する領域が例えば１０個となる表示として、それらの間の状態においては、燃費に応じて輝度を有する領域の個数を変化させるものである。
【特許文献１】特開２００４−４５１８０号公報
【発明の開示】
【発明が解決しようとする課題】
【０００４】
特許文献１にもある通り、運転者が見やすいように、車速計その他の表示装置はインストルメンタルパネル（インパネ）に集中して配置されている。車速計その他の表示装置が例えば白色光又は橙色光を用いて、目盛や目盛に対応した数値を表示する場合、例えば燃費を棒グラフ状に表示する際も、それらと同色の例えば白色光又は橙色光で表示されることが多かった。また、燃費を数値で表示する場合は、液晶表示が多用され、必ずしも視認性が高くなかった。
【０００５】
ところで、車速と異なり、燃費は一定の数値を保つ必要があると言ったものではなく、単に良いか、悪いか、良くなったか、悪くなったかといった、感覚的なもので十分である。この点で、燃費を表示する場合に数値で正確に運転者に伝える必要はなく、棒グラフ程度で十分のはずである。しかし、車両の運行中に、絶えず変化する燃費の表示を注視するような余裕は運転者には無い。
【０００６】
そこで、本発明者らは、棒グラフ状に燃費を表示する燃費表示装置において、その発する光の色調を変化させることで燃費を感覚的に把握できることを着想し、本願発明を完成させた。
【課題を解決するための手段】
【０００７】
請求項１に係る発明は、車両の燃費表示装置において、直線又は曲線上に連続又は断続して形成された表示領域に、少なくとも１ヶ所に少なくとも２色の異なる発光素子を配置し、当該直線又は曲線上に連続又は断続して形成された表示領域の、発光素子の点灯により輝度を有する領域の長手方向の長さと、２色の異なる発光素子を配置した領域の色調とにより燃費状況を表示することを特徴とする車両の燃費表示装置である。
ここで直線上に連続して形成された表示領域とは、連続した可変長の１個の棒グラフ表示を想定するものであり、直線上に断続して形成された表示領域とは、有限個の表示領域により可変長の１個の棒グラフ様に表示されるものを言うものとする。曲線上の場合は、当該棒グラフが湾曲等したものを想定するものである。
【０００８】
また、請求項２に係る発明は、車両の燃費表示装置において、２つの端部を結ぶように直線又は曲線上に実質的に連続して形成された表示領域に、２色の異なる発光素子を配置し、当該直線又は曲線上に連続又は断続して形成された表示領域の、両端から各々異なる色の発光素子の発光領域が連続するように点灯させて、異なる色に点灯した表示領域の境界部の位置により燃費状況を表示することを特徴とする車両の燃費表示装置である。
本発明は、１の領域の両端から色調の異なる２本の棒グラフが、位置変動する境界領域を挟んでいる状態を想定するものである。当該境界領域は、暗部として視認されても良く、２色の混色により中間色となっているものでも良い。
【０００９】
請求項３に係る発明は、回路配線基板と、回路配線基板の一方の面に配置され、回路配線に接続された、少なくとも異なる２色の発光素子と、発光素子を封止する封止樹脂とを有し、回路配線基板及び前記封止樹脂の少なくとも一方に光拡散材料が分散されていることを特徴とする。
【発明の効果】
【００１０】
請求項１に係る発明によれば、発光素子の点灯により輝度を有する領域の長手方向の長さと、２色の異なる発光素子を配置した領域の色調とにより燃費状況を表示できるので、例えば燃費が良い場合には１つの色の光の棒グラフで、その長さにより燃費状況を示し、燃費が悪い場合にはもう一方の色の光の棒グラフに切り替えることで、燃費が一定限度以下に悪化したことを表示し、感覚的に運転者に伝えることが可能となる。
【００１１】
請求項２に係る発明によれば、２色の異なる発光領域が境界領域を挟んで各々長さが変動する。この場合、第１の色の発光領域の長さが長くなると、第２の色の発光領域の長さが短くなる。すると、例えば燃費が良い状態においては、第１の色の発光領域の長さを長くし、燃費が悪い状態においては第２の色の発光領域の長さを長くする。燃費が向上すると、境界領域は第１の色の発光領域の長さを長くする方向、即ち第２の発光領域の終端に向って動く。例えば最も燃費が良い状態では、第１の色の発光領域が第２の発光領域の終端に達して、全体を第１の色の発光領域で占有させても良い。一方、燃費が悪化すると、境界領域は第２の色の発光領域の長さを長くする方向、即ち第１の発光領域の終端に向って動く。例えば最も燃費が悪い状態では、第２の色の発光領域が第１の発光領域の終端に達して、全体を第２の色の発光領域で占有させても良い。このように、燃費の現状と共に、燃費が向上中であるか、悪化中であるかを表示し、感覚的に運転者に伝えることが可能となる。
【００１２】
２色を切替て光を発せしめる、更にはそれらの光の混色による中間色を発せしめるためには、発光領域が、発光素子を組み込んだ回路配線基板を有していることが必要である。当該発光素子を樹脂封止した上、回路配線基板及び封止樹脂の少なくとも一方を光拡散材料が分散されたものとしておくと、点光源である発光素子からの光が光拡散材料で拡散され、当該回路配線基板又は封止樹脂の全体が発光しているように視認される。このように、発光領域を、光拡散材料が分散された回路配線基板又は光拡散材料が分散された封止樹脂で構成し、それを直接又は透明な被覆材を介して視認できるようにすることで、本願発明が構成可能となる。
【発明を実施するための最良の形態】
【００１３】
本発明の燃費表示装置は、例えば４輪車においては速度計その他の組み込まれたインストルメンタルパネルに配置することが好ましい。特に、運転者が頻繁に確認する速度計の近くが好ましい。
【００１４】
２色の棒グラフの境界位置で示す場合は、例えば速度計等の外枠表示を用いることもできる。その際、外枠の全体を使用しても、一部を使用しても良い。例えば枠部の下部が水平方向に延び、枠部の上部が円弧を描く枠部の場合、当該水平方向部分のみに本願発明を適用しても良く、当該円弧部分のみに本願発明を適用しても良い。
【００１５】
本発明に用いる個々の発光ダイオードは、単色、フルカラー、その他任意である。また、１つの発光領域に用いる発光ダイオードの個数も任意である。発光ダイオードとしては、必要な色調を発光するものを任意に選択できる。例えば紫色乃至緑色の発光ダイオードとしてはIII族窒化物系化合物半導体（ＡｌxＧａyＩｎ1-x-yＮ）を選択すると良い。赤乃至黄緑色の発光ダイオードとしてはＧａＡｓ系、ＩｎＰ系を選択すると良い。
【００１６】
発光ダイオードの電極構造も任意であり、回路配線基板の回路配線との接続方法も任意に選択できる。例えばIII族窒化物系化合物半導体（ＡｌxＧａyＩｎ1-x-yＮ）発光素子を用いる場合、いわゆるフェイスアップタイプの構造（ｐ型半導体層側に光取り出し）でチップ基板裏面に反射膜を形成しても良い。この場合、回路配線基板との接続ははんだバンプとして良い。或いはいわゆるフリップチップタイプの構造（絶縁基板側に光取り出し）でｐ型半導体層側に反射膜を有するものを、ワイヤボンディングしても良い。ワイヤボンディングの際、超音波を用いるウエッジボンディングによれば加熱処理が不要であり、他の構成部分に悪影響が少なくなる。これらの詳細については後述する。
【００１７】
〔回路配線基板を介して光を取り出す場合〕
回路配線基板を介して光を取り出す場合には次の点を考慮する。回路配線基板の材料は、遮光性の母材が不適当であるほかは全く任意である。母材は透光性を有する樹脂又は無機材料が好ましい。取り出し領域に対応する部分の配線材を酸化インジウムスズ（ＩＴＯ）とすると、表示の際に配線の陰が生じない。光拡散材料としては球形その他の微粒子が入手可能であり、回路配線基板の母材に分散するほか、当該光拡散材料を塗布固定した薄膜を用いても良い。
【００１８】
回路配線基板を介して光を取り出す場合に、発光ダイオードを覆う様に形成する反射膜を形成しても良い。この際、任意の金属その他を用いることが可能であるが、回路配線基板の回路配線との絶縁を保つため、絶縁材を介する等の工夫が必要である。
【００１９】
発光領域の周囲は黒又は灰色乃至は褐色その他の暗色とすると、発光領域が視認しやすい。回路配線基板を介して光を取り出す場合に、当該暗色部を例えば回路配線基板光取り出し側面の所望の領域に遮光材料を直接印刷しても良い。
【００２０】
〔封止樹脂側に光を取り出す場合〕
一方、封止樹脂側に光を取り出す場合には、回路配線基板の母材は遮光性の材料であっても良く、着色したものも所望に用いることができる。また、回路配線の材料を反射性の高い例えばアルミニウムや銅として、発光素子の光を光取り出し側に反射することもできる。この際、回路配線材料は、絶縁性を保ちつつ、発光領域に対応する回路配線基板のできるだけ多くの領域を覆うようにすると良い。封止樹脂側に光を取り出す場合には、例えば封止樹脂を囲うように、他の樹脂その他で枠部を設けると良い。この枠部に囲まれた内部領域が発光領域となる。封止樹脂に分散させる光拡散材料としては球形その他の微粒子が入手可能である。封止樹脂表面は露出させても、他の透光性の板材で覆っても良い。この際、発光領域の周囲は黒又は灰色乃至は褐色その他の暗色とすると、発光領域が視認しやすいので、当該暗色部を例えば透光性の板材の所望の領域に遮光材料を直接印刷しても良い。
【実施例１】
【００２１】
図１は本発明の具体的な一実施例に係る、燃費表示装置１００の平面図である。燃費表示装置１００は、黒又は灰色乃至は褐色その他の暗色から成る枠領域１と、１０個の発光領域２ａ乃至２ｊ、及び１個の発光領域３とから成る。合計１１個の発光領域のうち、発光領域２ａ乃至２ｊは発光色が同じ緑色であり、発光領域３は発光領域２ａ乃至２ｊと同じ緑色と、赤色との２色に切り替えることが可能である。尚、合計１１個の発光領域は非点灯とすることもできる（１．Ａ）。このような構成は、発光領域２ａ乃至２ｊに緑色発光ダイオードを組み込み、発光領域３には緑色発光ダイオードと赤色発光ダイオードを組み込むことで可能である。各発光領域の構成は後述する。
【００２２】
本実施例に係る燃費表示装置１００によれば、燃費の表示方法は、良い方から悪い方に、次の１３段階とすることができる。
発光領域２ａ乃至２ｊ及び発光領域３の１１個が緑色に点灯。
発光領域２ａが非点灯、２ｂ乃至２ｊ及び発光領域３の１０個が緑色に点灯。
発光領域２ａ及び２ｂが非点灯、２ｃ乃至２ｊ及び発光領域３の９個が緑色に点灯。
発光領域２ａ乃至２ｃが非点灯、２ｄ乃至２ｊ及び発光領域３の８個が緑色に点灯。
発光領域２ａ乃至２ｄが非点灯、２ｅ乃至２ｊ及び発光領域３の７個が緑色に点灯。
発光領域２ａ乃至２ｅが非点灯、２ｆ乃至２ｊ及び発光領域３の６個が緑色に点灯。
発光領域２ａ乃至２ｆが非点灯、２ｇ乃至２ｊ及び発光領域３の５個が緑色に点灯。
発光領域２ａ乃至２ｇが非点灯、２ｈ乃至２ｊ及び発光領域３の４個が緑色に点灯。
発光領域２ａ乃至２ｈが非点灯、２ｉ乃至２ｊ及び発光領域３の３個が緑色に点灯。
発光領域２ａ乃至２ｉが非点灯、２ｊ及び発光領域３の２個が緑色に点灯。
発光領域２ａ乃至２ｊが非点灯、発光領域３の１個が緑色に点灯。
発光領域２ａ乃至２ｊが非点灯、発光領域３の１個が赤色に点灯。
発光領域２ａ乃至２ｊが非点灯、発光領域３の１個が赤色で点滅。  
【００２３】
例えば、図１．Ｂは、発光領域２ａ及び２ｂが非点灯、２ｃ乃至２ｊ及び発光領域３の９個が緑色に点灯した状態（右上から左下へのハッチング）を示している。また、図１．Ｃは発光領域２ａ乃至２ｉが非点灯、２ｊ及び発光領域３の２個が緑色に点灯した状態（右上から左下へのハッチング）を示している。また、図１．Ｄは発光領域２ａ乃至２ｊが非点灯、発光領域３の１個が赤色に点灯した状態（左上から右下へのハッチング）を示している。このように、図１の燃費表示装置１００は、燃費が良い場合には緑色の光の棒グラフの長さにより燃費状況を示し、燃費が悪い場合には赤色の光に切り替えることで、燃費が一定限度以下に悪化したことを表示し、感覚的に運転者に伝えることが可能である。
【実施例２】
【００２４】
図２は本発明の具体的な一実施例に係る、燃費表示装置２００の平面図である。燃費表示装置２００は、黒又は灰色乃至は褐色その他の暗色から成る枠領域２１と、１個の発光領域２２から構成されている。発光領域２２は、その左端部２２Ｌと右端部２２Ｒを有する。発光領域２２には、少なくとも左端部２２Ｌから右端部２２Ｒまで達する緑色発光ダイオードの列と、左端部２２Ｌから右端部２２Ｒまで達する赤色発光ダイオードの列とが組み込まれている。所望の制御装置により、緑色発光ダイオードは、全て非点灯、右端部２２Ｒに最も近いダイオードのみ点灯、右端部２２Ｒに最も近いダイオードから任意個数連続させて点灯、全ダイオード点灯と切り替えることが可能である。同様に、赤色発光ダイオードは、全て非点灯、左端部２２Ｌに最も近いダイオードのみ点灯、左端部２２Ｌに最も近いダイオードから任意個数連続させて点灯、全ダイオード点灯と切り替えることが可能である。図２．Ａは緑色と赤色の発光ダイオードを全て非点灯とした状態である。
【００２５】
図２に係る燃費表示装置２００によれば、燃費の表示方法は、良い方から悪い方に、次の任意段階とすることができる。
発光領域２２は、その右端部２２Ｒから左端部２２Ｌまで全て緑色発光。
発光領域２２は、その左端部２２Ｌから境界部まで（２２−１）が赤色に、境界部（２２−３）が非発光又は中間色である黄色に発光、右端部２２Ｒから当該境界部（２２−２）まで緑色発光（図２．Ｂ及び図２．Ｃ）。
発光領域２２は、その左端部２２Ｌから右端部２２Ｒまで全て赤色発光。
この際、境界部２２−３の位置を可変として、境界部の左側の赤色発光領域２２−１と境界部の右側の緑色発光領域２２−３の長さが可変となるようにする。即ち、それらの領域を全て併せたものは発光領域２２全体であって一定であるが、そのうちの、赤色発光領域２２−１と緑色発光領域２２−３の割合が異なるようにできる。
【００２６】
このように、図２の燃費表示装置２００は、燃費が良い場合には緑色の光の棒グラフの割合が大きく、燃費が悪い場合には赤色の光の棒グラフの割合が大きいので、感覚的に運転者に燃費を伝えることが可能である。また図２．Ｂ及び図２．Ｃの２つの状態の一方から他方に移る際に、境界部２２−３が移動すると共に緑色の光の棒グラフの割合が増加又は減少し、赤色の光の棒グラフの割合が減少又は増加することで、燃費の向上又は悪化を感覚的に運転者に伝えることが可能である。
【００２７】
〔変形例〕
図３は変形例に係る燃費表示装置３００の平面図である。燃費表示装置３００は車両の速度計であり、回転する指針を有するものである。この、円弧状の枠部に図２の燃費表示装置２００の構成を適用する。すると、回転する指針を有する車両の速度計の円弧状の枠部が、境界部２２−３の位置を可変として、境界部の左側の赤色発光領域２２−１と境界部の右側の緑色発光領域２２−３の長さが可変となるようにできる。図３の燃費表示装置３００は、燃費が良い場合には、速度計の円弧状の枠部の緑色の光の割合が大きく、燃費が悪い場合には赤色の光の割合が大きいので、感覚的に運転者に燃費を伝えることが可能である。
【００２８】
〔発光ダイオードの実装方法の一例〕
上記実施例を適用するための、発光ダイオードの実装方法は、例えば次のようにすると良い。図４は上記各実施例の発光セグメントの構成の一例を示す断面図である。図４には、以下のように１個の発光ダイオードのみを図示しているが、上記実施例の各発光セグメントとしては、各々任意個数の発光ダイオードを組み込む設計として良い。
【００２９】
図４の発光セグメントＵ１は、遮光性の基板４１ａに高反射性の回路配線４１ｃが形成された回路配線基板４１に、III族窒化物系化合物半導体発光素子４２が固定され、ワイヤボンディング４３ｎ及び４３ｐにより導通が確保されている。また、発光領域Ｂを形成するため、遮光性の樹脂から成る枠部４４と、その内部領域に充填された、光拡散材料が分散された封止樹脂４５、これらの表層を覆う透光性の板材４６が設けられている。尚、発光領域Ｂは、自らが発光する一次光源ではなく、光拡散材料により、その全体が光っているかのように視認される二次光源である。
【００３０】
III族窒化物系化合物半導体発光素子４２は、絶縁性基板４２０に、任意層数のｎ型III族窒化物系化合物半導体領域４２１ｎと任意層数のｐ型III族窒化物系化合物半導体領域４２２ｐが形成されている。これらの一部には意図的にドーバントが添加されていない層又は領域が含まれていても良い。ｎ型III族窒化物系化合物半導体領域４２１ｎとｐ型III族窒化物系化合物半導体領域４２２ｐの間に、発光領域Ａが存在する。発光領域Ａは、単層又は単一量子井戸構造或いは多重量子井戸構造の発光層で構成される。
【００３１】
このような構成の図４の発光セグメントＵ１は、III族窒化物系化合物半導体発光素子４２が発光すると、次のように光が拡散し図４内上方に放出される。即ち、一次光源であるIII族窒化物系化合物半導体発光素子４２の発光領域Ａから発せられた光は、光拡散材料が分散された封止樹脂４５と透光性の板材４６とを透過して直接上方に放出される他、封止樹脂４５に分散された光拡散材料により拡散される。或いは、回路配線基板４１の高反射性の回路配線４１ｃにより反射される。こうして、図４の発光セグメントＵ１の発光領域Ｂ全体が発光しているかの如く視認される。
【００３２】
図４の構成で、III族窒化物系化合物半導体発光素子４２として緑色発光のものを用い、同様に例えば赤色発光ダイオードを図４紙面垂直方向手前又は奥に設けると、図４の発光セグメントＵ１は、緑色、赤色、及びそれらの中間色（例えば黄色）に発光させることができる。尚、図２及び図３の発光領域２２においては、図４の紙面に垂直方向に並べた、所望の任意個数の緑色発光ダイオードの列と赤色発光ダイオードの列を用いる。
【００３３】
〔発光ダイオードの実装方法の他の例〕
図５は、図４の発光セグメントＵ１の構成を若干変形した発光セグメントＵ２の構成を示す断面図である。図５にも１個の発光ダイオードのみを図示しているが、任意個数の発光ダイオードを組み込む設計として良い。
【００３４】
図５の発光セグメントＵ２においては、光拡散材料が分散された、透光性の基板４１ｂを有する回路配線基板４１’を用いる。III族窒化物系化合物半導体発光素子４２、ワイヤボンディング４３ｎ及び４３ｐ、光拡散材料が分散された封止樹脂４５は図４の発光セグメントＵ１と同様に設ける。但し、光拡散材料が分散された封止樹脂４５を形成する際には図４の発光セグメントＵ１のような遮光性の樹脂から成る枠部４６を設けない。また、封止樹脂４５の全体を少なくとも内面が高反射性の材料から成る枠部４７により覆う。本実施例においては回路配線基板４１’を介して図内上方向に光を取り出すので、回路配線基板４１’の回路配線４１ｃを設けていない側には遮光材から成る遮光部４８を設けて、発光領域Ｂを形どると良い。なお、遮光部４８は省略可能である。図５では省略したが、ｎ型III族窒化物系化合物半導体領域４２１ｎとワイヤボンディング４３ｎとの間にはｎ電極が、ｐ型III族窒化物系化合物半導体領域４２２ｐとワイヤボンディング４３ｐとの間にはｐ電極が形成されているものとする。また、図５では回路配線４１ｃが基板部４１ｂの図５内下側でIII族窒化物系化合物半導体発光素子４２が配置されていない大部分の面積を覆うかのように記載したが、回路配線４１ｃは、III族窒化物系化合物半導体発光素子４２に通電可能なように形成されれば良く、基板部４１ｂの下側を覆う必要は無い。
【００３５】
図５の発光セグメントＵ２においては、III族窒化物系化合物半導体発光素子４２が発光すると、次のように光が拡散し図５内上方に放出される。即ち、一次光源であるIII族窒化物系化合物半導体発光素子４２の発光領域Ａから発せられた光は、光拡散材料が分散された封止樹脂４５と、光拡散材料が分散された透光性の基板４１ｂに放出される。この際、光拡散材料が分散された透光性の基板４１ｂから直接上方に放出される他、当該基板４１ｂと封止樹脂４５に分散された光拡散材料により拡散される。或いは、枠部４７の内面の高反射性材料により反射される。こうして、封止樹脂４５と当該基板４１ｂに分散された光拡散材料により拡散されることで、図５の発光セグメントＵ２の発光領域Ｂ全体が発光しているかの如く視認される。図５の構成においても、例えば赤色発光ダイオードを図４紙面垂直方向手前又は奥に設けて、緑色、赤色、及びそれらの中間色（例えば黄色）に発光させることができる。
【００３６】
尚、発光素子の回路配線基板への固定方法は任意である。絶縁性基板を有するものについては図では説明を省略したが、接着剤を用いても良い。
また、図５では内面が高反射性の部材から成る枠部を形成する場合を示したが、例えば高反射性部材を含んだペースト等にディップして被膜を形成しても良い。
【図面の簡単な説明】
【００３７】
【図１】本発明の具体的な一実施例に係る燃費表示装置１００の構成を示す平面図。
【図２】本発明の具体的な他の実施例に係る燃費表示装置２００の構成を示す平面図。
【図３】本発明の具体的な他の実施例に係る燃費表示装置３００の構成を示す平面図。
【図４】本発明の燃費表示装置に適用可能な発光セグメントＵ１の構成を示す断面図。
【図５】本発明の燃費表示装置に適用可能な発光セグメントＵ２の構成を示す断面図。
【符号の説明】
【００３８】
１００、２００、３００：燃費表示装置
１、２１：枠領域
２ａ〜２ｊ、３、２２：発光領域
２２Ｌ：左端部
２２Ｒ：右端部
２２−１：赤色発光領域
２２−２：緑色発光領域
２２−３：境界部
Ｕ１、Ｕ２：発光セグメント
４１：回路配線基板
４１ａ：基板
４１ｂ：透光性の母材から成り、光拡散材料が分散された基板
４１ｃ：回路配線
４２：III族窒化物系化合物半導体発光素子
４３ｎ、４３ｐ：ワイヤボンディング
４４：枠部
４５：光拡散材料が分散された封止樹脂
４６：透光性の材料からなる板材
４７：少なくとも内面に高反射性の部材を有する枠部
４８：遮光部
Ａ：III族窒化物系化合物半導体発光素子の発光領域
Ｂ：発光領域（視認されるもの）
【図１】
2008232826.tif 000003
【図２】
2008232826.tif 000004
【図３】
2008232826.tif 000005
【図４】
2008232826.tif 000006
【図５】
2008232826.tif 000007